(57)【要約】【課題】高加圧容器の開口部を広く取ることで患者や動植物の出し入れを容易にし、かつ蓋体を簡単に開閉することができ、閉蓋時には容器内部の完璧な密閉性を確保できるようにした蓋開閉式の高加圧容器を提供するものである。【解決手段】  空調装置を備えた高加圧容器を下タンク部と透明体の上カバー部とに二分割し、上カバー部を下タンク部の上側に回動自在に軸止めし、下タンク部と上カバー部の各周縁対面部をフランジ接合面に形成し、このフランジ接合面に、１本以上のチューブ溝を凹設し、フランジ接合面のチューブ溝に配設された高圧エアーチューブ内に高圧流体が送気されて両フランジ接合面の隙間を塞ぐように構成し、この高圧エアーチューブに高圧流体を送排気する高圧流体送排気装置を高圧エアーチューブに接続し、下タンク部と上カバー部との接合状態を保持することができる、掛け止め自在となる係止部材を下タンク部と上カバー部間に掛け渡したこと。【選択図】図２
2010065763.tif 000002
【特許請求の範囲】
【請求項１】
空調装置を備えた高加圧容器を下タンク部と上カバー部とに二分割し、上カバー部を透明体又は半透明体で形成し、この下タンク部から見て上カバー部が上方に回動して開蓋できる状態で、上カバー部を下タンク部の上側に被さるように回動自在に軸止めし、下タンク部の上面に上カバー部が被せられる際における、下タンク部と上カバー部の各周縁対面部をフランジ接合面に形成し、この下タンク部と上カバー部の各フランジ接合面のいずれか一方又は双方に、１本以上のチューブ溝を凹設し、下タンク部の上面に上カバー部が被せられる際に、フランジ接合面のチューブ溝に配設された高圧エアーチューブ内に高圧流体が送気されて両フランジ接合面の隙間を塞ぐように構成し、この高圧エアーチューブに高圧流体を送排気することが可能となる高圧流体送排気装置を高圧エアーチューブに接続し、下タンク部に上カバー部が被せられた際に、下タンク部と上カバー部との接合状態を保持することができる、掛け止め自在となる係止部材を下タンク部と上カバー部間に掛け渡したことを特徴とする蓋開閉式の高加圧容器。
【請求項２】
下タンク部を保持するストレッチャー枠体を備え、そのストレッチャー枠体にキャスターを取り付けたことを特徴とする請求項１記載の蓋開閉式の高加圧容器。
【請求項３】
空調装置が真空装置、圧縮空気供給装置、酸素供給装置、炭酸ガス供給装置のいずれか又は複数から選ばれたものであることを特徴とする請求項１又は２記載の蓋開閉式の高加圧容器。
【請求項４】
水供給装置、イオン供給装置、窒素供給装置のいずれか又は複数から選ばれたものを下タンク部に接続させてなることを特徴とする請求項１乃至３のいずれかに記載の蓋開閉式の高加圧容器。
【請求項５】
下タンク部に、下タンクのフランジ接合面と略面一となる床板を取り外し自在に取り付けたことを特徴とする請求項１乃至４のいずれかに記載の蓋開閉式の高加圧容器。
【発明の詳細な説明】
【技術分野】
【０００１】
本発明は、開閉自在の蓋体を有する蓋開閉式の高加圧容器に関し、さらに詳しくは、主として患者を治療機関等へ搬送する際の搬送手段として利用するものであるが、そのほかにも動植物を外気と遮断した状態で搬送したり、植物の生育に適した環境を確保するための生育容器としても利用できるものである。
【背景技術】
【０００２】
従来の高加圧容器としては、（１）溶接構造密閉型のものと（２）丸フランジボルト止め密閉型のものとがあり、（１）の溶接構造密閉型のものは、容器に覗き窓を設けて、目視で容器内部を確認する構造のため、中の状態が確認しにくいという問題があった。
また（２）の丸フランジボルト止め密閉型のものは、止めボルトを外して解体して目視で容器内部を確認する構造のため、上記（１）と同様に中の状態が確認しにくいという問題があった。
【０００３】
【特許文献１】特開平１１-２８０９０４号公報
【特許文献２】特開２０００−３２０６７５号公報
【特許文献３】特開２００５−２８８２３２号公報
【発明の開示】
【発明が解決しようとする課題】
【０００４】
上記に説明した従来の蓋開閉式の高加圧容器では、例えば鳥インフルエンザ等空気感染症の患者を外気と完全遮断して安全に搬送したり、激痛緊急患者を高圧酸素供給してその痛みを軽減させながら安全に搬送したり、高熱緊急患者を低温高圧酸素供給してその高熱を軽減させながら安全に搬送したり、さらには動植物を外気と遮断した状態で移動させる安全な搬送手段として、あるいは植物の苗木を高圧環境下において、その根の成長を促進させるための生育容器として利用するというような要請に対し、応えることができないという問題点があった。
【０００５】
本発明は、上記の問題点を解決するため、高加圧容器の開口部を広く取ることで患者や動植物の出し入れを容易にし、かつ蓋体を簡単に開閉することができ、閉蓋時には容器内部の完璧な密閉性を確保できるようにした蓋開閉式の高加圧容器を提供せんとするものである。
【課題を解決するための手段】
【０００６】
本発明に係る蓋開閉式の高加圧容器の請求項１のものは、空調装置を備えた高加圧容器を下タンク部と上カバー部とに二分割し、上カバー部を透明体又は半透明体で形成し、この下タンク部から見て上カバー部が上方に回動して開蓋できる状態で、上カバー部を下タンク部の上側に被さるように回動自在に軸止めし、下タンク部の上面に上カバー部が被せられる際における、下タンク部と上カバー部の各周縁対面部をフランジ接合面に形成し、この下タンク部と上カバー部の各フランジ接合面のいずれか一方又は双方に、１本以上のチューブ溝を凹設し、下タンク部の上面に上カバー部が被せられる際に、フランジ接合面のチューブ溝に配設された高圧エアーチューブ内に高圧流体が送気されて両フランジ接合面の隙間を塞ぐように構成し、この高圧エアーチューブに高圧流体を送排気することが可能となる高圧流体送排気装置を高圧エアーチューブに接続し、下タンク部に上カバー部が被せられた際に、下タンク部と上カバー部との接合状態を保持することができる、掛け止め自在となる係止部材を下タンク部と上カバー部間に掛け渡したことを特徴とする蓋開閉式の高加圧容器である。
【０００７】
また請求項２は、下タンク部を保持するストレッチャー枠体を備え、そのストレッチャー枠体にキャスターを取り付けたことを特徴とする請求項１記載の蓋開閉式の高加圧容器である。
【０００８】
また請求項３は、空調装置が真空装置、圧縮空気供給装置、酸素供給装置、炭酸ガス供給装置のいずれか又は複数から選ばれたものであることを特徴とする請求項１又は２記載の蓋開閉式の高加圧容器である。
【０００９】
また請求項４は、水供給装置、イオン供給装置、窒素供給装置のいずれか又は複数から選ばれたものを下タンク部に接続させてなることを特徴とする請求項１乃至３のいずれかに記載の蓋開閉式の高加圧容器である。
【００１０】
また請求項５は、下タンク部に、下タンクのフランジ接合面と略面一となる床板を取り外し自在に取り付けたことを特徴とする請求項１乃至４のいずれかに記載の蓋開閉式の高加圧容器である。
【発明の効果】
【００１１】
本発明に係る蓋開閉式の高加圧容器は、高加圧容器内の環境を外部と完璧に遮断でき、さらに空調装置を備えていることから、高加圧容器内を外気と完璧に遮断した状態で高圧酸素供給をしたり、低温高圧酸素供給をしたり、真空環境を確保したり、さらには酸素、炭酸ガス、水、イオンなどの所望のものを高加圧容器内に送り込むことができる。
【００１２】
さらに、高加圧容器内を外部からよく観察できる構成になっているため、高加圧容器内の状態の変化に瞬時に対応でき、上カバーの開閉が簡単に行え、上カバーの開蓋時には高加圧容器の全面が広く開かれるため、患者の搬入や動植物の搬入の作業が容易となる効果がある。
【００１３】
そのため、伝染病患者であっても安全に隔離した状態で搬送することができ、高加圧容器内の洗浄殺菌を短時間で安全かつ完全に処理できる効果があり、高加圧容器としては小型で搬送に適した形態をしていることから、緊急時にはすばやく対応することができ、高加圧容器の繰り返し使用も容易であり、動植物の生育容器としての利便性にも優れるなどの効果を発揮する。
【発明を実施するための最良の形態】
【００１４】
以下、図面を参照して本発明の蓋開閉式の高加圧容器の実施の形態を説明する。
図１は、本発明にかかる蓋開閉式の高加圧容器（開蓋状態）を示す正面図である。図２は、同右側縦断面図である。
図３は、本発明にかかる蓋開閉式の高加圧容器（閉蓋状態）を示す正面図である。図４は、同右側縦断面図である。
図５は、要部の拡大縦断面図である。
【００１５】
本発明にかかる蓋開閉式の高加圧容器１は、耐圧性を備えた下タンク部２と上カバー部３とに二分割される状態で形成されている。この下タンク部２と上カバー部３とは、図に示すように中央部がくぼんだ断面略Ｕ字型の形状を呈しており、上カバー部３はその全体又は大部分を透明体又は半透明体で形成している。
【００１６】
この構成より、高加圧容器１の内部は広い空間が確保され、上カバー部を通して高加圧容器１の内部の状況を見やすい状態で目視することが可能となり、高加圧容器１内への患者や動植物の出し入れ作業が容易となり、その内部は広くて十分なスペースが確保され、高加圧容器１内に収容している患者や動植物の状態の変化を外部から正確に判断することができ、緊急事態が起こった場合には俊敏な対応が可能となる。
【００１７】
下タンク部２を保持するために、ストレッチャー枠体４を備え、そのストレッチャー枠体４の移動のためにキャスター５を取り付けるようにしてもよい。このような構成にしておくと、ストレッチャー枠体４に下タンク部２を安定的に保持することで、特に患者の搬送に際しては、救急車や病院内での移動に適したものとなる。
【００１８】
つぎに本発明の下タンク部２と上カバー部３について説明すると、この下タンク部２から見て上カバー部３が上方に回動して開蓋できる状態で、上カバー部３は下タンク部２の上側に被さるように回転支軸６を介して回動自在に軸止めされている。このため上カバー部３は、回転支軸６を中心に転動して、開蓋状態になったり、閉蓋状態になったり変化できることになる。
【００１９】
ここで下タンク部２の上面に上カバー部３が被せられる際における、下タンク部２と上カバー部３の各周縁対面部を平滑なフランジ接合面７ａ，７ｂに形成しているので、高加圧容器１の周縁の対面合わせ箇所は幅広で密閉を確保し易い構造になっている。
【００２０】
さらにこの下タンク部２と上カバー部３の各フランジ接合面７ａ，７ｂのいずれか一方又は双方には、１本以上のチューブ溝８が凹設されている。またこのチューブ溝８の内部には高圧エアーチューブ９が配設されており、この高圧エアーチューブ９には、圧縮空気のような高圧流体を高圧エアーチューブ９内に送排気する高圧流体送排気装置１０が接続されている。
【００２１】
この高圧流体送排気装置１０は、例えば高圧縮コンプレッサーなどで構成され、高圧流体を高圧エアーチューブ９内に送気したり、あるいは排気したりして、高圧エアーチューブ９を膨張させたり、しぼませたり変化させることができるものである。
【００２２】
下タンク部２の上面に上カバー部３が被せられた後に、高圧エアーチューブ９が膨張させられると、高圧エアーチューブ９は両フランジ接合面７ａ，７ｂの隙間を塞ぐことができ、これにより高加圧容器１の内部は完璧に外気と遮断される状態となる。
【００２３】
また下タンク部２に上カバー部３が被せられた際に、下タンク部２と上カバー部３との接合状態を保持することができる、掛け止め自在となる係止部材１１ａ，１１ｂを下タンク部２と上カバー部３間に掛け渡しているので、係止部材１１ａ，１１ｂを係止させた状態にしたときは、上カバー部３が不用意に開くことは無くなる。
図面に示した実施例では、複数個の回転支点ブラケット（１１ａ）と固定ロックボス（１１ｂ）とで、上記の係止部材を説明している。
【００２４】
また上記した空調装置１２としては、真空装置１３、圧縮空気供給装置１４、酸素供給装置１５、炭酸ガス供給装置１６のいずれか又は複数から組み合わせたものが使用される。
【００２５】
また上記した下タンク部２に接続させる装置としては、水供給装置１７、イオン供給装置１８、窒素供給装置１９のいずれか又は複数から組み合わせたものが使用される。
【００２６】
さらに下タンク部２に、下タンク部２のフランジ接合面７ａと略面一となる床板２０を取り外し自在に取り付けることで、患者を高加圧容器１に楽な姿勢で搬入することができるので、救護支援者にとって扱い易い高加圧容器になる。
【産業上の利用可能性】
【００２７】
本発明によれば、病院、老人介護施設、家庭などで利用すると、緊急患者をベッドに寝かせた状態で安全に搬送させることができ、また動植物の生育容器としても利用することができる。
【図面の簡単な説明】
【００２８】
【図１】本発明にかかる蓋開閉式の高加圧容器（開蓋状態）を示す正面図である。
【図２】同右側縦断面図である。
【図３】本発明にかかる蓋開閉式の高加圧容器（閉蓋状態）を示す正面図である。
【図４】同右側縦断面図である。
【図５】要部の拡大縦断面図である。
【符号の説明】
【００２９】
１    高加圧容器
２    下タンク部
３    上カバー部
４    ストレッチャー枠体
５    キャスター
６    回転支軸
７ａ，７ｂ    フランジ接合面
８    チューブ溝
９    高圧エアーチューブ
１０  高圧流体送排気装置
１１ａ，１１ｂ  係止部材
１２  空調装置
１３  真空装置
１４  圧縮空気供給装置
１５  酸素供給装置
１６  炭酸ガス供給装置
１７  水供給装置
１８  イオン供給装置
１９  窒素供給装置
２０  床板
【図１】
2010065763.tif 000003
【図２】
2010065763.tif 000004
【図３】
2010065763.tif 000005
【図４】
2010065763.tif 000006
【図５】
2010065763.tif 000007